Podtech/llm-jp-corpus-v4-ja_patent huggingface dataset:
(57)【要約】      （修正有）【課題】素地のコンクリート型枠の目ちがいを防止して、一人で型枠の組み立てができる型枠目ちがい防止工具を提供する。【解決手段】バイスプライヤーＣ型１に型枠目ちがい防止型板３を取り付けた型枠目ちがい防止工具であって、型枠７の裏側に密着させることで素地のコンクリート型枠の表面の目ちがい防止ができて一人の型枠組み立てに役立つ。【選択図】図５
0003231782.tif 000002
【実用新案登録請求の範囲】
【請求項１】
バイスプライヤーＣ型等に型枠の裏面にコンパネの裏面の目ちがいが防止できるように型板を取り付けた型枠目ちがい防止工具
【考案の詳細な説明】
【技術分野】
【０００１】  本考案は、バイスプライヤーＣ型等に型枠のコンパネの裏面の目ちがいが防止できる様に型板を取り付けたものである。
【背景技術】
【０００２】  建設現場において素地のコンクリート型枠を、組み立てをする時は一人がコンパネの表側に居てコンパネの目ちがいを直して裏側の人が釘等で型枠をとめていた。
【考案の概要】
【考案が解決しようとする課題】
【０００３】コンパネの目ちがいがあるとコンクリート打設後コンクリートの素地面（打ちっ放し面）に段差ができて仕上げが悪く、２人ですると人件費がかかる。又サン木の裏面を合わすとサン木の巾が違うとコンパネ表面に段差ができる。
それをこの工具は一人で目ちがいをなくして、一人で型枠を組み立てできる事が可能になり前述の欠点を解決しようとするものである。
【課題を解決するための手段】
【０００４】  本考案は、バイスプライヤーＣ型等に型板を取り付ける事によってコンパネの裏の目ちがいをなくすことで表面の目ちがいが起こる問題を解決している。
【考案の効果】
【０００５】  上述の様に、本考案の型枠目ちがい防止工具は、一人で型枠の裏側から表面の目ちがいを防止して組み立てができる。
【図面の簡単な説明】
【０００６】
【図１】  バイスプライヤーＣ型
【図２】  型枠目ちがい防止用型板
【図３】  型枠の平面図
【図４】  バイスプライヤーＣ型に型枠目ちがい防止用型板をつけた物（型枠目ちがい防止工具）
【図５】  型枠目ちがい防止工具を型枠裏側に付けた物
【考案を実施するための形態】
【０００７】型枠のコンパネの裏面に型枠目ちがい防止用型板を付ける。
バイスプライヤーＣ型で型枠のサン木をつかむ。
サン木とサン木を釘等で止める。
【実施例】
【０００８】以下、添付図面に従って一実地例を説明する。１はバイスプライヤーＣ型  ２は型枠目ちがい防止型板を取り付ける穴  ３は型枠目ちがい防止型板  ４はバイスプライヤーＣ型に取り付けるボルト等  ５はサン木  ６はコンパネ  ７は型枠（５サン木＋６コンパネ）【０００９】  本考案の実地例は図３の型枠の裏側に図４の型枠目ちがい防止工具の前面を図５の様に密着させる。それによってコンパネの裏面がそろう（表面もそろう）次にサン木２本をバイスプライヤーＣ型でつかむ。    サン木２本を釘等で止める。【００１０】上述の如き構成からなるものであるから、型枠の前に一人いなくても素地の型枠を一人で組み立てができる。
【符号の説明】
【００１１】  １  バイスプライヤーＣ型
２  型枠目ちがい防止型板を取り付ける穴
３  型枠目ちがい防止型板
４  バイスプライヤーＣ型に取り付けるボルト等
５  サン木
６  コンパネ
７  型枠（５サン木＋６コンパネ）
【図１】
0003231782.tif 000003
【図２】
0003231782.tif 000004
【図４】
0003231782.tif 000005
【図３】
0003231782.tif 000006
【図５】
0003231782.tif 000007
(57)【要約】      （修正有）【課題】身体やペットの毛などの対象物を洗浄することができることにとどまらず、肌が艶々となったり毛並みが良くなったりするなどの改善を行うことができる洗浄具の提供を図る。【解決手段】人の身体やペットの毛などの生体の対象物を洗浄する際に用いる洗浄面２を備えた洗浄具１であって、洗浄面２は、芯糸と芯糸全体に交差して配置された多数の毛羽とを備えたシュニール糸で構成されている。全体が手袋状をなしており、毛羽はマイクロファイバーで構成される。【選択図】図１
0003233409.tif 000002
【実用新案登録請求の範囲】
【請求項１】
身体やペットの毛などの生体の対象物を洗浄する際に用いる洗浄面を備えた洗浄具において、
前記洗浄面は、芯糸と前記芯糸全体に交差して配置された多数の毛羽とを備えたシュニール糸で構成されていることを特徴とする洗浄具。
【請求項２】
全体が手袋状をなしており、前記洗浄面は前記手袋の少なくとも掌側に配置されており、
前記毛羽は両端が切断されたマイクロファイバーで構成されていることを特徴とする請求項１記載の洗浄具。
【考案の詳細な説明】
【技術分野】
【０００１】
本考案は、身体やペットの毛などの生体の対象物を洗浄する際に用いることができる洗浄具に関するものである。
【背景技術】
【０００２】
従来の洗浄具としては、特許文献１に示す身体洗浄具が知られている。この身体洗浄具は、セルロース系繊維とポリエステル長繊維とからなる複合長繊維素材を織って得たベース布体の一部若しくは全面に、縦横の長さが０ ． ３ ｍ ｍ 以下の織り目を有する布体を上下に重ねて二層構造とし、両層間に空気層を形成してなる泡立用布体を取付けたものである。この身体洗浄具は、矩形タオル状であってもよく、手袋状であっても構わないとされている。
【０００３】
特許文献２は、浴室で身体の汚れを洗浄するための垢すりにおいて、垢すりに使用する布を５本指の手袋状に縫製したものを開示している。また、５本指手袋状垢すりにおいて、垢すり部分である手のひら側の生地と手の甲側の生地とを異なる生地で縫製する。その生地又は繊維は１種類の場合もあり、複数で縫製することも出来る。さらに、左右をはめ替えるだけで、材質を簡単に変えることが出来、皮膚の個性や状態に臨機応変に対応することができることが示されている。
【０００４】
ところが、従来の洗浄具は、身体やペットの毛などの対象物を洗浄することを目的として開発されたもので、使用することによって肌が艶々となるエステ効果や、ペットの毛並みが良くなるという、対象物の改質改善に関しては十分な効果が確認されていなかった。
【先行技術文献】
【特許文献】
【０００５】
【特許文献１】特許第４３６２８４６号公報
【特許文献２】特開２００１−１５７６４６号公報
【考案の概要】
【考案が解決しようとする課題】
【０００６】
本考案は、身体やペットの毛などの対象物を洗浄することができることにとどまらず、肌が艶々となったり毛並みが良くなったりするなど対象物の改善を行うことができる洗浄具の提供を図ることを課題とする。
【課題を解決するための手段】
【０００７】
本考案は、シュニール糸を洗浄面に配置することによって、肌が艶々となるエステ効果やペットの毛並みが良くなるという対象物の改質改善が発揮されるという新たな知見に基づき考案されたものである。
【０００８】
すなわち本考案は、身体やペットの毛などの生体の対象物を洗浄する際に用いる洗浄面を備えた洗浄具において、前記洗浄面は、芯糸と前記芯糸全体に交差して配置された多数の毛羽とを備えたシュニール糸で構成されている洗浄具を提供することにより上記の課題を解決する。
【０００９】
本考案は、全体が手袋状をなしており、前記洗浄面は前記手袋の少なくとも掌側に配置されている形態として実施することができる。またその実施に際しては、前記毛羽を両端が切断されたマイクロファイバーで構成することもできる。
【考案の効果】
【００１０】
本考案は、身体やペットの毛などの対象物を洗浄することができることにとどまらず、肌が艶々となったり毛並みが良くなったりするなど対象物の改善を行うことができる洗浄具を提供することができたものである。
【図面の簡単な説明】
【００１１】
【図１】（Ａ）本考案の実施の形態にかかる洗浄具の平面図、（Ｂ）本考案の他の実施の形態にかかる洗浄具の平面図。
【図２】本考案の実施の形態にかかる洗浄具の洗浄面に用いられている糸の構造説明図。
【考案を実施するための形態】
【００１２】
以下、図面を参照して本考案の実施の形態を説明する。
図１（Ａ）に示す実施の形態に係る洗浄具１は、全体が手袋状をなしている。この洗浄具１の洗浄面２は、指部及び手のひら部の含む全体が図２に示すシュニール糸１０で構成（平編みによる編成）されている。なお、主な洗浄面２は、掌側であるため甲側は他の糸を用いることもできるし、手首部３についてはゴム編みにすることもできるしシュニール糸１０以外の綿糸などを用いることもできる。
また本考案の洗浄具１は、図１（Ｂ）に示すようなタオル状などの布製シートとして実施することもできる。
【００１３】
次に図２を参照してシュニール糸１０について説明する。このシュニール糸１０は、複数の芯糸１１（又は芯糸と押さえ糸）の間に多数の毛羽１２が挟持されたものである。なお製糸時に必要に応じて熱溶融糸１３を併設してこれを溶融させることによって毛羽１２を芯糸１１に対して強固に固定しておくことも望ましい。
【００１４】
芯糸１１や毛羽１２は、ポリエステル製やポリアミド製のものを採用することができるが、本考案の効果を奏することを条件に他の素材に変更して実施することもできるし、複合素材で構成しても構わない。
【００１５】
毛羽１２については、太さ１０μｍ以下のマイクロファイバーを用いることが好ましい。毛羽１２はその両端が切断されているため、肌や毛などの対象物の細部にまでその先端が入り込むことによって、洗浄効果を高めることはもちろん、継続的に使用することにより対象物が艶々になったり毛並みが良くなったりするなど、対象物自体の改質改善効果が発揮されることが本考案者によって知見された。
【００１６】
使用試験
以下本考案の理解を高めるために使用試験の結果を示すが、本考案はこの例に限定して理解されるべきではない。
【００１７】
試料の作成
毛羽１２にマイクロファイバーを用いた図１（Ａ）に示す洗浄具１を作成し、これを試料とした。
試験方法
１０名のモニターによって試料について試験を実施した。試験方法は、各モニターが入浴などの通常の身体洗浄の際に毎日試料を両手にはめて、各モニターが常に用いている石鹸洗剤によって自らの身体の肌を洗浄した。各モニターが、試験開始前と比べた自らの肌の変化を評価してその結果を集計した。
試験結果
評価結果を表１に示す。
【００１８】
【表１】
0003233409.tif 000003
【００１９】
以上の結果、モニターの大多数においては肌の改質改善が確認された。
【符号の説明】
【００２０】
１  洗浄具
２  洗浄面
３  手首部
１０  シュニール糸
１１  芯糸
１２  毛羽
１３  熱溶融糸 
【図１】
0003233409.tif 000004
【図２】
0003233409.tif 000005
(57)【要約】      （修正有）【課題】肌に直接、摩れない、自動車用のシートベルトカバーを提供する。【解決手段】生地は三つ折りにし、芯はポリプロピレンで筒状のシートベルトカバー。肌が当たる部分は滑らかに上下移動可能で、自分のヒットする所まで自由に動かせる。【選択図】図５
0003233427.tif 000002
【実用新案登録請求の範囲】
【請求項１】
車の運転に背の低い人にシートベルトが首にすれて危ない夏は特に薄着だし首の回りは無防備に皮膚が出ています。特にシートベルトを下げてもきちんと肩に当たらない背の低い人には何か無い物かとずっと考えてやっと出来上がりました。便利です。
【請求項２】
胸の手術をした方にと長目の物を使ってもらった所傷に摩れない、とても良いとの声がありました。肺ガンで胸腔鏡手術を受けた方が乳癌での胸腔鏡手術をされた方など通院などに便利です。特に地方の方は車でないとどこにも行けないので良いかと思います
【考案の詳細な説明】
【技術分野】
【０００１】ア  １８ｃｍ幅５ｃｍ折り分２．５ｃｍ  布  綿イ  ３０．２ｃｍ幅５ｃｍ折り分２．５ｃｍ  布  シルキーフリーウ  スナップ２個  スナップボタン２個  スナップ３個  スナップボタン３個エ  芯  ポリプロピレンオ  アは夏用や首、肩用  イは胸部などにあたるように装着用
【背景技術】
【０００２】肌にあたる部分は、なめらかに上下移動可能自分のヒットする所まで自由に動かせる。
【先行技術文献】
【特許文献】
【０００３】特許文献  １長さ、幅、上下移可能    技術分野【０００４】特許文献２考案の名称    これは良いベ！！ルトカバー考案の効果【０００５】    とても良いとの声が多々ある。
【図面の簡単な説明】三ッ折りにし、スナップ、スナップボタンが外側になるようにする産業上の利用可能性多いにある実施例    あり
【図１】
0003233427.tif 000003
【図２】
0003233427.tif 000004
【図３】
0003233427.tif 000005
【図４】
0003233427.tif 000006
【図５】
0003233427.tif 000007
【手続補正書】
【提出日】令和3年4月14日(2021.4.14)
【手続補正１】
【補正対象書類名】実用新案登録請求の範囲
【補正対象項目名】全文
【補正方法】変更
【補正の内容】
【実用新案登録請求の範囲】
【請求項１】
生地は三ツ折りにし芯はポリプロピレンで筒状のシートベルトカバー。
【請求項２】
一枚の布を三ツ折りにし布をスナップやスナップボタンを付けて筒状にするシートベルトカバー。
【手続補正２】
【補正対象書類名】明細書
【補正対象項目名】全文
【補正方法】変更
【補正の内容】
【考案の詳細な説明】
【技術分野】
【０００１】（ア）１８ｃｍ幅５ｃｍ折り分  ２．５ｃｍ  布  綿
（イ）３０．２ｃｍ幅５ｃｍ折り分  ２．５ｃｍ  布  シルキー  フリー
（ウ）１８ｃｍの長さはスナップ  スナップボタン  各２個上下
（エ）３０．２ｃｍの長さはスナップ  スナップボタン  各３個上中下
（オ）芯はポリプロピレン
（カ）アは夏用や首肩用 イは胸部等に当たる様に装着用
【背景技術】
【０００２】肌に当たる部分は滑らかに上下移動可能自分のヒットする所まで自由に動かせる
【考案の効果】
【０００３】とても良いとの声が多々ある
【図面の簡単な説明】
【０００４】
【図１】図１は芯の幅左２．５ｃｍ中５ｃｍ右５ｃｍ幅
【図２】図２は布を付けた所を表わしている  １８ｃｍの長さは上下にスナップ  スナップボタンを各２個着ける点線は布を着けた時の図
【図３】図３は芯３０．２ｃｍの長さ左幅２．５ｃｍ中５ｃｍ右幅５ｃｍ
【図４】図４は布を着けた表面を表わしている  スナップ  スナップボタン各３個着ける
【図５】図５は中幅５ｃｍを下に左幅２．５ｃｍを重ね右幅５ｃｍを重ねる  三っ折りにしてスナップ  スナップボタンが窓側になる様にしてシートベルトに装着する。布裏側２ｃｍ入れ芯と表面を一諸に縫う。
【産業上の利用可能性】
【０００５】多いにある
【実施例】
【０００６】あり
(57)【要約】      （修正有）【課題】人体に有害な感染症のリスクを軽減するフェイスガードを提供する。【解決手段】フェイスガード４は、下部が開放された空間を有する形状３を有し、フェイスガード４を着用して飲食を行うことで飛沫の飛散を防止し、飲食を可能にする。【選択図】図１
0003233428.tif 000002
【実用新案登録請求の範囲】
【請求項１】
下部が開放された飲食可能な空間を有する立体的なフェイスガード。
【考案の詳細な説明】
【技術分野】
【０００１】本考案は、人体に有害な感染症のリスクを軽減する為に考案されたフェイスガードに関するものである。
【背景技術】
【０００２】本考案は、人体の体液などの飛沫の飛散を防止し、感染症のリスクを下げる事と同時に飲食や会話を可能にするフェイスガードである。
【先行技術文献】
【特許文献】
【０００３】
【特許文献１】特許第６７９３９８６号（Ｐ６７９３９８６）
【非特許文献】
【０００４】
【非特許文献１】実用新案登録第３２２８３４９号（Ｕ３２２８３４９）
【考案の概要】
【０００５】着用時に飲食や会話が可能な飛沫飛散防止フェイスガードである。
【考案が解決しようとする課題】
【０００６】人体に有害な感染症のリスクの軽減を目的とする。
【課題を解決するための手段】
【０００７】飲食可能な形状を有するフェイスガードを着用し感染症対策をする。
【考案の効果】
【０００８】飲食や会話時の飛沫飛散を防止し感染症のリスクを軽減する。
【図面の簡単な説明】
【０００９】
【図１】本考案の実施の形態における飛沫飛散防止飲食会話両用フェイスガードを示す図である。
【図２】本考案の実施の形態を示す図である。
【図３】本考案の実施の形態を示す図である。
【考案を実施するための形態】
【００１０】図１は本考案、飛沫飛散防止飲食会話両用フェイスガードの実施の形態を示す図である。本考案は人間の鼻の形状を利用し、前方に飲食を可能にする下部が開放された空間を有するフェイスガードである。
【実施例】
【００１１】会話を伴う飲食時において使用する。
【符号の説明】
【００１２】（図１）
１：［左側面図］飛沫飛散防止飲食会話両用フェイスガード
２：立体構造
３：飲食を可能にする下部が開放された空間を有する形状
４：飛沫飛散防止フェイスガード
（図２）
１：［参考斜視図］飛沫飛散防止飲食会話両用フェイスガード
２：立体構造
３：飲食を可能にする下部が開放された空間を有する形状
４：飛沫飛散防止フェイスガード
（図３）
１：［参考左側面図］飛沫飛散防止飲食会話両用フェイスガード
２：立体構造
３：飲食を可能にする下部が開放された空間を有する形状
４：飛沫飛散防止フェイスガード
【図１】
0003233428.tif 000003
【図２】
0003233428.tif 000004
【図３】
0003233428.tif 000005
【手続補正書】
【提出日】令和3年4月12日(2021.4.12)
【手続補正１】
【補正対象書類名】実用新案登録請求の範囲
【補正対象項目名】全文
【補正方法】変更
【補正の内容】
【実用新案登録請求の範囲】
【請求項１】
本考案は、人間の鼻の形状を利用し、
下部が開放された空間を有する形状である立体的なフェイスガードである。
(57)【要約】      （修正有）【課題】寒い場所でグラインダー作業をする際に、グラインダーの上部に取り付けることで手の冷えを緩和する、ディスクグラインダー用防寒ハンドカバーを提供する。【解決手段】防寒ハンドカバー本体の左右に穴１とナット２を設け、グラインダー本体のサイドハンドル取付け穴を利用し、ボルト、または、ネジで取り付け、前後の空き３、空き４と下部の空き５を設け、両側面にボルト穴を設けたカバーを形成し、既成のグラインダーに取り付け、グラインダー可動時に排出される温風を持ち手の方向へ誘導し、かつ、温風を完全に塞がないよう吹き出し口方向に空きを設けることにより、グラインダー本体の機能に支障なく使用できるグラインダー用防寒ハンドカバーを特徴とする。【選択図】図１
0003233417.tif 000002
【実用新案登録請求の範囲】
【請求項１】
防寒ハンドカバー本体の左右に穴（１）とナット（２）を設け、グラインダー本体のサイドハンドル取付け穴（６）を利用し、ボルト、または、ネジで取り付け、前後の空き（３）、空き（４）と下部の空き（５）を設け、両側面にボルト穴（１）を設けたカバーを形成し、既成のグラインダーに取り付け、グラインダー可動時に排出される温風を持ち手の方向へ誘導し、かつ、温風を完全に塞がないよう吹き出し口（７）方向に空き（３）を設けることにより、グラインダー本体の機能に支障なく使用できるグラインダー用防寒ハンドカバー。
【考案の詳細な説明】
【技術分野】
【０００１】  本考案は、既成グラインダーの上部を覆うカバーを作成し、カバーの前後と下に空きを作り、両側面にボルト穴とナットを設け、既成グラインダー本体にあるサイドハンドルを取り付けるボルト穴を使い固定し、グラインダー可動時に発生する温風を持ち手の方へ誘導することにより、寒い場所でグラインダー作業をする際に、グラインダーの上部に取り付けることで手の冷えを緩和する、ディスクグラインダー用防寒ハンドカバーに関するものである。
【背景技術】
【０００２】  従来、手指の冷えを緩和するディスクグラインダー用の防寒カバーはなかった。
【考案の概要】
【考案が解決しようとする課題】
【０００３】  これは次のような欠点があった。
（イ）冬場や寒い場所でのグラインダー作業は手が冷えて辛い。
（ロ）グラインダーを握るにはある程度の握力が必要で、冷えるからといって厚手の手袋は使用しづらかった。
（ハ）細かい作業を要する場合は素手で使用することもあり更に手が冷える。
本考案は、以上のような寒い場所でのグライダー作業時に手指の冷えを緩和する目的で考案されたものである。
【課題を解決するための手段】
【０００４】  防寒ハンドカバー本体の左右に穴（１）とナット（２）を設け、グラインダー本体のサイドハンドル取付け穴（６）を利用し、ボルト、または、ネジで取り付け、前後の空き（３）、空き（４）と下部の空き（５）を設け、両側面にボルト穴（１）を設けたカバーを形成し、既成のグラインダーに取り付け、グラインダー可動時に排出される温風を持ち手の方向へ誘導し、かつ、温風を完全に塞がないよう吹き出し口（７）方向に空き（３）を設けることにより、グラインダー本体の機能に支障なく使用できる。
本考案は、以上の構成よりなるグラインダー用防寒ハンドカバーである。
【考案の効果】
【０００５】（イ）防寒カバーを取り付けることにより、グラインダーから出る温風が手指方向へ誘導され、手の冷えを緩和する。
（ロ）防寒ハンドカバーは、サイドハンドル取付け穴にボルトで固定するため容易に着脱することができる。
（ハ）防寒カバーは、空き（３）を設けることで、吹き出し口（７）より排出される温風を遮らない構造になっており、グラインダー本体の機能には支障はない。
【図面の簡単な説明】
【０００６】
【図１】  本考案の正面図である。
【図２】  本考案の斜視図である。
【図３】  一般的な既成ディスクグラインダーの斜視図である。
【図４】  一般的な既成ディスクグラインダーに本考案を取り付けた状態の斜視図である。
【図５】  一般的な既成ディスクグラインダーの側面図である。
【図６】  一般的な既成ディスクグラインダーに本考案を取り付けた状態の断面図である。
【考案を実施するための形態】
【０００７】  以下、本考案を実施するための形態について説明する。
防寒ハンドカバー本体の左右に穴（１）とナット（２）を設け、グラインダー本体のサイドハンドル取付け穴（６）を利用し、ボルト、または、ネジで取り付け、前後の空き（３）、空き（４）と下部の空き（５）を設け、両側面にボルト穴（１）を設けたカバーを形成し、既成のグラインダーに取り付け、グラインダー可動時に排出される温風を持ち手の方向へ誘導し、かつ、温風を完全に塞がないよう吹き出し口（７）方向に空き（３）を設けることにより、グラインダー本体の機能に支障なく使用できる。
本考案は、以上の構成よりなるグラインダー用防寒ハンドカバーである。
防寒ハンドカバーの左右に設けた穴（１）を、グラインダー本体のサイドハンドルを取り付けるボルト穴（６）に合わせ、ボルト、または、ネジにて固定する。
グラインダー可動時に排出される温風を利用しているので、これを使用するときは通常通り使用することでよい。
【符号の説明】
【０００８】    １  側面に設けた穴
２  側面の穴の外側に設けたナット
３  温風吹き出し口側に設けた空き
４  持ち手側に設けた空き
５  下部に設けた空き
６  既成ディスクグラインダーのハンドル取り付け穴
７  既成ディスクグラインダーの温風吹き出し口
８  既成ディスクグラインダーの持ち手部
９  既成ディスクグラインダーの回転する砥石
１０  本考案の断面図示部
【図１】
0003233417.tif 000003
【図２】
0003233417.tif 000004
【図３】
0003233417.tif 000005
【図４】
0003233417.tif 000006
【図５】
0003233417.tif 000007
【図６】
0003233417.tif 000008
(57)【要約】      （修正有）【課題】主に室内で簡易に使用し、マスクを外さずに飲食ができるマスクを提供する。【解決手段】マスクは、耳掛け紐２をマスク本体１の上部左右一か所ずつで結合して保持することによって、マスク下部を自由に動くようにした。人との会話が少ない室内での使用を目的とし、呼吸が楽にできるとともに、マスクを外さずに飲食ができる。【選択図】図２
0003233416.tif 000002
【実用新案登録請求の範囲】
【請求項１】
マスクの耳かけ紐を本体と左右一か所ずつで保持することを特徴としたマスク。
【考案の詳細な説明】
【背景分野】
【０００１】  本考案は、耳掛け紐がマスク本体と左右一か所ずつで保持されているマスクに関するものである。
【背景技術】
【０００２】  マスクの長時間着用は呼吸に障害がでることがあり、室内における人との直接の会話の少ない仕事場等においては従来のマスクほど厳格なものは不要である。【０００３】  例えば、テレホンセンターのように区切られた作業場とか、将棋の対局などである。【０００４】  将棋の対局においては、ほとんど会話することなく、最終局面においては、マスクをはずして、思考することになる。【０００５】  将棋の対局者は、マスクを外し、よく飲み物を口にするし、おやつも食べる。【０００６】  非特許物件１はマスクの構造が複雑であり、他の類似特許物件等も同様である。
【先行技術文献】
【特許文献】
【０００７】
【非特許文献１】実用新案登録第３２３１５３４号  令和３年
【考案の概要】
【考案が解決しようとする課題】
【０００８】  主に室内で使用し、息苦しさを軽減し、簡単な動作で飲食をすることができる簡単な構造のマスクを提供することにある。
【課題を解決するための手段】
【０００９】  息苦しさを軽減するために、鼻孔廻りを圧迫しないようにし、マスクをしたまま飲食をしやすくするように、マスク下部を自由にするために、マスク本体と耳掛けひもをマスク本体の上部左右一か所で結合することを主要な特徴とする。
【考案の効果】
【００１０】  本考案のマスクは、マスク本体下部が耳かけひもで束縛されていないので、鼻孔廻りが圧迫されず、マスク本体下部を持ち上げるだけで飲食を簡単にすることができる。咳などが出るときは片手でマスク全体を抑えることで解決できる。短時間であれば人との接触や外出時も同様の動作で解決される。
【図面の簡単な説明】
【００１１】
【図１】図１は本考案のマスクの実施例の正面図である。
【図２】図２は本考案のマスクの実施例の側面図である。
【考案を実施するための形態】
【００１２】  図１は本考案のマスクの一例である。このマスクは、マスク本体１と二つの耳掛け部２、３で構成されている。
【実施例１】
【００１３】  図２は、本考案の実施例１の側面図であって、１、２は、図１と同様である。図２（ａ）はマスク使用時の通常の状態である。耳掛けがマスク本体と一か所で保持されているので、鼻孔及び口のあたりに他のマスクに比べると、大きな隙間ができ呼吸が楽である。
【実施例２】
【００１４】  図２（ｂ）は本考案の実施例２の側面図であって、マスク本体１−２は、コップ６などで飲食するときにマスク本体を指でつまんで持ち上げた状態である。これは、マスクをしたままで簡単に飲食できる利点を示している。
【産業上の利用可能性】
【００１５】  構造が簡単であるので、製造が既存の設備を利用でき、安価に販売できる利点がある。
【符号の説明】
【００２２】１  マスク本体
１−１  マスク本体
１−２  マスク本体
２  左の耳掛け
３  右の耳掛け
４  左の耳掛け接合部
５  右の耳掛け接合部
６  コップ
【図１】
0003233416.tif 000003
【図２】
0003233416.tif 000004
(57)【要約】      （修正有）【課題】手作業で水回しを行う際に、加水した塩水を素早く簡易に小麦粉の粒子の中に浸透させ、均質なグルテンを形成することができる水回し機を提供する。【解決手段】粉に加水する水回し機に於いて、持ち手となる円筒部１と、円筒部に収納された円板、水回しするための棒とを有して構成される。円板は、中心に貫通穴が設けられた固定円板３１と中心及び周辺に複数の貫通穴が設けられた可動円板３２とからなっている。また、棒は円板の中心の貫通穴に挿入される支柱２１と円板の周辺の貫通穴に挿入される周辺棒２２とからなっている。支柱を回転させることで周辺棒が放射状にねじれて広がることで粉と水が均一になる。【選択図】図４
0003233411.tif 000002
【実用新案登録請求の範囲】
【請求項１】
粉に加水する水回し機において、持ち手となる円筒部と、前記円筒部に収納され中心に貫通穴が設けられた固定円板と中心及び周辺に複数の貫通穴が設けられた可動円板とからなる円板と、水回しするための棒とを有し、前記棒は前記円板の中心の貫通穴に挿入される支柱と前記可動円板の周辺の貫通穴に挿入される周辺棒とからなり、前記支柱を回転させることで周辺棒が放射状にねじれて広がることを特徴とする水回し機。
【考案の詳細な説明】
【技術分野】
【０００１】  本考案は、粉に加水する水回し機において、例えば麺打ち時に使用する水回し機に関するものである。
【背景技術】
【０００２】  従来の水回し機は、例えば、麺打ちの製造装置の過程の中に組み込まれており、家庭で昔ながらの製法で麺作りを楽しむことができない。そこで、家庭で昔ながらの製法で麺作りを楽しみたい人は、素手で粉に加水しながら水回しを行うが、水回し時には水を含んだ粉が指に付着しやすく、それを取り除く際に、更に水を含んだ粉が塊を作り、粉と水が均一にならなくなってしまう。このように、人的に粉と水を均一にする水回し作業を行うには熟練の技が必要になる。
【考案の概要】
【考案が解決しようとする課題】
【０００３】  しかしながら、一般の家庭では、麺打ちの製造装置も保有しておらず、また水回しの熟練の技をもつ人も少なく、楽しみながら麺作りを行うことができないという問題があった。【０００４】  本考案の目的は、手作業で水回しを行う際に、加水した塩水を素早く簡易に小麦粉の粒子の中に浸透させ、均質なグルテンを形成することができる水回し機を提供することにある。
【課題を解決するための手段】
【０００５】  かかる課題を解決するために、本考案は、粉に加水する水回し機において、持ち手となる円筒部と、前記円筒部に収納された円板、水回しするための棒とを有して構成される。前記円板は、中心に貫通穴が設けられた固定円板と中心及び周辺に複数の貫通穴が設けられた可動円板とからなっている。また、前記棒は前記円板の中心の貫通穴に挿入される支柱と前記円板の周辺の貫通穴に挿入される周辺棒とからなっている。本考案は、前記支柱を回転させることで周辺棒が放射状にねじれて広がることで粉と水が均一になることを特徴とする。
【考案の効果】
【０００６】  本考案の水回し機によれば、水回しと呼ばれる麺作りの一番重要な工程を小麦粉が手に付着することなく、熟練された職人でなくても水と粉を均一に混ぜ合わせることが可能となり自家製麺を楽しむことができる。
【図面の簡単な説明】
【０００７】
【図１】水回し機の使用前の斜視図である。
【図２】水回し機の周辺棒が開いた状態の斜視図である。
【図３】水回し機の使用前の円筒部の断面を示した図である。
【図４】水回し機の使用時の円筒部の断面を示した図である。
【図５】円板の図である。
【考案を実施するための形態】
【０００８】  粉に加水する水回し機において、持ち手となる円筒部と、前記円筒部に収納され中心に貫通穴が設けられた固定円板と中心及び周辺に複数の貫通穴が設けられた可動円板とからなる円板と、水回しするための棒とを有している。この前記棒は前記円板の中心の貫通穴に挿入される支柱と前記可動円板の周辺の貫通穴に挿入される周辺棒とからなり、前記支柱を回転させることで周辺棒が放射状にねじれて広がることを特徴とする。
【実施例】
【０００９】  本考案の一実施形態に係る水回し機について、図に従って説明する。ただし、本考案は、図面又は以下に記載する実施形態に限定されるものではないことを理解されたい。【００１０】  図１は、水回し機の使用前の斜視図である。図１に示すように、水回し機は、水回し時に持ち手となる円筒部１と、円筒部１の中心に挿入される支柱２１と、粉と水を均一に混ぜ合わせる周辺棒２２とからなる。なお、この図では使用前の状態であるので、周辺棒２２が閉じている。【００１１】  図２は、水回し機の周辺棒が開いた状態の斜視図である。図２では、水回し機の支柱２１を回転させることで周辺棒２２が開いた状態を示している。【００１２】  図３は、水回し機の使用前の円筒部１の断面を示し、円筒部１の中の状態が理解できる図である。したがって、使用前の支柱２１と周辺棒２２の状態が明示されており、周辺棒２２が正位置に位置している。円筒部１には、固定円板３１と可動円板３２が収納されている。【００１３】  図４は、水回し機の使用時の円筒部１の断面を示し、円筒部１の中の状態が理解できる図である。つまり、支柱２１を回転することで周辺棒２２が放射状に広がった状態を示している。なお、図から明らかなように、周辺棒２２は支柱２１より短く、固定円板３１とは関連していない。【００１４】  図５は、円板３の図である。図５（ａ）は固定円板３１の平面図であり、（ｂ）は可動円板３２の平面図である。固定円板３１は中心穴４１が設けられている。また、可動円板３２は、中心穴４１と円板３の周辺に複数の周辺穴４２が設けられている。
中心穴４１には支柱２１が挿入され、周辺穴４２には周辺棒２２が挿入される。なお、図から明らかなように、支柱２１は円筒部の上部に突き出ており、周辺棒２２は可動円板３２を挿入しているが、固定円板３１には挿入されていない。【００１５】  本考案の水回し機の動作について説明する。
図示しない麺鉢に入れた小麦粉に加水する。この麺鉢に本考案の水回し機を立てて円筒部１を持ち手にして、固定円板３１を支点に、支柱２１を回転させる。これにより、可動円板３２が円筒部の縦方向に摺動し、周辺棒２２が放射状に開く。次に、支柱２１を継続して回転させることで、放射状に開いた周辺棒２２が小麦粉と水を均一になるよう攪拌する。なお、水回しの際は、水回し機を麺鉢底面に対し、垂直方向に立てて叩く動作を繰り返しながら小麦粉と水を攪拌させていくと均一性が増し、効果的である。【００１６】  本実施例では可動円板３２が２個上下に設けられているが、可動円板３２の個数は適宜決定すればよい。
また、可動円板３２は円板周辺に５個の周辺穴を設けた実施例で説明しているが、この周辺穴の個数も適宜決めればよい。
【符号の説明】
【００１７】１  円筒部
２  棒
２１  支柱
２２  周辺棒
３  円板
３１  固定円板
３２  可動円板
４  穴
４１  中心穴
４２  周辺穴
【図１】
0003233411.tif 000003
【図２】
0003233411.tif 000004
【図３】
0003233411.tif 000005
【図４】
0003233411.tif 000006
【図５】
0003233411.tif 000007
(57)【要約】      （修正有）【課題】透明板を繋ぎ合わせ、折りたたみ持ち運びのできる飛沫飛散防止するパーソナルパーテーションを提供する。【解決手段】本考案はコロナ渦、個人で持ち運びのできる飛沫飛散防止パーソナルパーテーションである。透明板１〜６を透明塩ビシートでウエルダー溶着し接続することによりパーテーションとなり、透明板６枚（前面部縦２枚、左側面部縦２枚、右側面部縦２枚）と透明シートで構成され、前記透明板６枚それぞれの端部と端部に隙間を空け、前記透明シートで接着し繋ぎ合わされ、前記透明板６枚は隙間を空け繋ぎ合わされていることにより、繋ぎ合わされた接合部で左右、上下に折りたためる、設置時は左右の側面部を前面部に対し角度をつけて開くことにより自立する飛沫飛散防止のパーソナルパーテーションである。【選択図】図１
0003233412.tif 000002
【実用新案登録請求の範囲】
【請求項１】
透明板６枚（前面部縦２枚、左側面部縦２枚、右側面部縦２枚）と透明シートで構成され、前記透明板６枚それぞれの端部と端部に隙間を空け、前記透明シートで接着し繋ぎ合わされ、前記透明板６枚は隙間を空け繋ぎ合わされていることにより、繋ぎ合わされた接合部で左右、上下に折りたためる、設置時は左右の側面部を前面部に対し角度をつけて開くことにより自立する沫飛散防止のパーソナルパーテーションである。
【考案の詳細な説明】
【技術分野】
【０００１】本考案は透明板を透明シートでつなぎ合わせコンパクトに折りたためて持ち運びのできる飛沫飛散を防止するパーソナルパーテーションである。
【背景技術】
【０００２】新型コロナウイルスの飛沫感染等の予防対策として、据え置きタイプのパーテーションは銀行、役所、お店等の窓口、机、テーブル等に透明アクリル板を卓上に載置して使用するパーテーションとして提案されている。
【先行技術文献】
【０００３】
【特許文献】
【特許文献】実用新案登録第３２２９９８８号広報
【考案の概要】
【考案が解決しようとする課題】
【０００４】据置タイプのパーテーションはその多くは机に固定されており移動することもできない。
外向営業者が個人宅へ営業に出向いたとき個人宅では飛沫防止のパーテーションなどの設置はなく、マスクやフェースシールドで対応しているが、持ち運びのできるパーテーション持っていれば顧客も安心、安全である。
【課題を解決するための手段】
【０００５】本考案は図１透明板６枚、１から６（前面部縦２枚、左側面部縦２枚、右側面部縦２枚）をそれぞれの端部と端部に隙間を空け７の透明シートで接着し繋ぎ合わされ、前記透明板６枚は隙間を空けて繋ぎ合わされていることにより、左右、上下にコンパクトに折りたためる飛沫飛散防止のパーソナルパーテーションである。
【考案の効果】
【０００６】パーソナルパーテーションは設置、折り畳むことが容易であり、折り畳んだ状態における外形がコンパクトで鞄にも容易に入り持ち運びに便利なパーソナルパーテーションである。
本考案のパーソナルパーテーションは持ち運びが出きるため、どこでも飛沫飛散防止が図れ、営業者が得意先に持参したり、社内においてパーテーションの無い部屋に持参することができ有用である。
【図面の簡単な説明】
【０００７】
【図１】本考案のパーソナルパーテーション設置図
【図２】本考案のパーソナルパーテーション平面図
【図３】本考案のパーソナルパーテーション折りたたみ図
【考案を実施するための形態】
【０００８】本考案は設置型（据置型）のパーテーションと異なり、透明板６枚の端部に隙間を空け透明シートで接着させ繋ぎ合わせることにより折りたためて持ち運びの出来る飛沫飛散防止のパーソナルパーテーションとなる。
符号４の透明板は他の透明板より上下寸法が短く開口部を開けることによりパーソナルパーテーション越しの相手と図面、書類の受け渡しができる。
接着に透明シートを使うのは接着部の視界を確保する為である。
透明板の例としては、塩ビ板、ポリカーボネイト板、ポリエステル板、アクリル板等。接合部の接着方法としてはウエルダー溶着、接着剤による接着等。
【実施例】
【０００９】透明板（１〜６）を透明塩ビシートでウエルダー溶着し接続することによりパーテーションとなり、１〜６の透明板の接続部に隙間を空けることにより折りたためて持ち運びの出来る、飛沫飛散防止のパーソナルパーテーションとなる。（図２）符号４を基準に左右上下に折り畳みビジネスバックに入れられるサイズの（図３）になり持ち運びが出来る。設置時（図１）は図２の左右の側面部を前面部に対し角度をつけて開くことにより自立する。
【産業上の利用可能性】
【００１０】外向営業者のみならずとも人が集まる場所でパーテーションも無い場所、部屋では飛沫飛散防止はマスクやフェースシールドに頼っていたが、個人ユースのコンパクトに折りたためる事が出来るパーソナルパーテーションを持参すればより一層の新型コロナ感染対策になる。
【符号の説明】
【００１１】  １  透明板  左側面板上
２  透明板  左側面板下
３  透明板  正面板上
４  透明板  正面板下（開口部）
５  透明板  右側面板上
６  透明板  右側面板下
７  透明シート
【図１】
0003233412.tif 000003
【図２】
0003233412.tif 000004
【図３】
0003233412.tif 000005
(57)【要約】      （修正有）【課題】簡単に筒の底板を脱着できる筒の脱着用金具の構造を提供する。【解決手段】下方に向けて尻つぼみに巻かれた螺線状のバネ線５を被覆材によって覆ってなる筒の底板４の中心部に、突起したつまみ部分１を設け、該つまみ部分が、支持棒６の先端に設けた案内板３の切り欠き部を柔軟な筒の側面に弧を描かせて湾曲させながら該案内板を抜けるようにした。【選択図】図１
0003233499.tif 000002
【実用新案登録請求の範囲】
【請求項１】
下方に向けて尻つぼみに巻かれた螺線状のバネ線を被覆材によって覆ってなる筒の底板の中心部に、突起したつまみ部分を設け、該つまみ部分が、支持棒の先端に設けた案内板の切り欠き部を柔軟な筒の側面に弧を描かせて湾曲させながら該案内板を抜けるようにした筒の脱着用金具の構造。
【考案の詳細な説明】
【技術分野】
【０００１】  本考案は、コイル状に巻いたバネ線全体を被覆してなる筒の底板を簡単に脱着出来るようにした金具に関する。
【背景技術】
【０００２】  從来、該底板を脱着させるためには、取り付けナット等を用いて行うのが一般的であるが、ワンタッチで行える金具は見当らないように思われる。
【考案の概要】
【考案が解決しようとする課題】
【０００３】  本考案は、このような問題点を解決しようとするものであり、該筒の柔軟性を利用して、簡単に筒の底板を取りはずせるような金具を提供しようとするものである。
【課題を解決するための手段】
【０００４】  そして、本考案は、上記目的を達成するために、下方に向けて尻つぼみに巻かれた螺線状のバネ線を被覆材によって覆ってなる筒の底板の中心部に、突起したつまみ部分を設け、該つまみ部分が、支持棒の先端に設けた案内板の切り欠き部を柔軟な筒の側面に弧を描かせて湾曲させながら該案内板を抜けるようにした筒の脱着用金具。
【考案の効果】
【０００５】  本考案の金具は、つまみ部分を支えて、案内板の切り欠き部から引き抜くことによって、瞬時に底板も引き抜くことができ、更に、底板を上方に引き上げて、筒の内側を外側に向けて、犬の糞取り器などに使用しても良い。
【図面の簡単な説明】
【０００６】
【図１】本考案の金具の側面図
【図２】同金具の底面図
【図３】同金具の側面図
【考案を実施するための形態】
【０００７】以下、本考案の実施の形態を図１〜３図に基づいて説明する。
【０００８】図１には、バネ線の存在が示されている。
【０００９】図２には、つまみ部分と切り欠き部の位置関係が示されている。
【００１０】図３には湾曲した筒の位置が破線で示されている。
【符号の説明】１、つまみ部分
２、切り欠き部
３、案内板
４、底板
５、バネ線
６、支持棒
【図１】
0003233499.tif 000003
【図２】
0003233499.tif 000004
【図３】
0003233499.tif 000005
(57)【要約】      （修正有）【課題】ピアノなどの鍵盤楽器を指導する際、初心者でも鍵盤を叩く指が判別でき、適切な指導ができる指符号シールを提供する。【解決手段】指符号シール１は、符号表示部とテープ部とが一体に形成されるか、別体に形成し、符号表示部をテープ部に貼り付ける。１〜５の数字や符号を設けた指符号シール１を、親指・人差し指・中指・薬指・小指に貼り付け、鍵盤を叩く指が容易にどの指であるかを判別できるようにし、リング状に巻き付けることではがれにくく、手の大きさや指の太さに関わらず利用することができる。【選択図】図１
0003233498.tif 000002
【実用新案登録請求の範囲】
【請求項１】
裏面に粘着剤が設けられ指に貼り付けるテープ部と、前記テープ部表面に設けられた符号表示部で構成されたことを特徴とする指符号シール。
【請求項２】
前記テープ部と前記符号表示部とは一体的に形成されている実用新案登録請求の範囲第１項記載の指符号シール。
【請求項３】
前記符号表示部には数字が記入されている実用新案登録請求の範囲第１項及び第２項のいずれか１項に記載の指符号シール。
【考案の詳細な説明】
【技術分野】
【０００１】  本考案は、親指・人差し指・中指・薬指・小指に貼り付ける指符号シールに関するものである。
【背景技術】
【０００２】  例えば、ピアノなどの鍵盤楽器を指導する際、初心者に鍵盤を叩く指を説明するのに右・左と指の名称を言わなければならず、また聞き取りにくいという問題が生じてしまう。
【考案の概要】
【考案が解決しようとする課題】
【０００３】  従来から、楽器本体や補助教材にドレミファソラシドが記載されたシールは存在しているが、指に貼り付けて演奏の補助を担うものが現在のところ見受けられない。
本考案は、上記問題点を解消するためになされたものであり、指の名称を言うのではなく、指符号シールを、親指・人差し指・中指・薬指・小指に貼り付け、左手と右手の区別と前記符号を言うことで初心者でもどの指のことかを判別できるようにした指符号シールを提供することにある。
【課題を解決するための手段】
【０００４】  上記課題を解決するために、裏面に粘着剤が設けられ指に貼り付けるテープ部と、前記テープ部表面に設けられた指符号表示部で構成されたことを特徴とする。
また、前記テープ部と前記符号表示部とは一体的に形成されているのが望ましい。
また、前記符号表示部には、数字が記入されているのが望ましい。
【考案の効果】
【０００５】  本考案の指符号シールは、裏面に粘着剤が設けられ指に貼り付けるテープ部と、前記テープ部表面に設けられた符号表示部で構成されたことを特徴とするものであるから、指の名称  を言うのではなく、指符号シールを、親指・人差し指・中指・薬指・小指に貼り付け、左手と右手の区別と前記符号を言うことで初心者でもどの指のことかを判別できるので、適切な指導ができるという効果がある。
また、請求項２のように、前記テープ部と前記符号表示部とは一体的に形成されているものは、プレスで抜き加工をするだけで、製造ができるので、短時間に作ることが出来、安価に製造することが出来るという効果がある。
また、請求項３のように、前記符号表示部には、数字が記入されているものは、発声しやすいとともに聞き取りやすく、適切な指導ができるという効果がある。
【図面の簡単な説明】
【０００６】
【図１】本考案の指符号シールを隔離紙から外した状態の平面図
【図２】同上の指符号シールを隔離紙から外す前の平面図
【図３】同上の指符号シールを隔離紙から外す前の側面図
【図４】同上の指符号シールを指に貼り付けた平面図
【考案を実施するための形態】
【０００７】  以下、本考案の実施と使用例について図１乃至図２，図３を参照して詳説する。指符号シール▲１▼は、符号表示部▲２▼と、指に貼り付けるテープ部▲３▼と、テープ部▲３▼の裏面に設けられた粘着剤▲４▼と、テープ部▲３▼を補強する台紙▲５▼と、符号表示部▲２▼及びテープ部▲３▼の裏面に設けられた剥離紙▲６▼とで構成されている。
【０００８】  符号表示部▲２▼には１・２・３・４・５の符号が表示されており、１は親指、２は人差し指、３は中指、４は薬指、５は小指に貼り付ける。
符号表示部▲２▼には符号が表示されていないものは、手書きで記入することができる。
【０００９】  指符号シールに表示された１・２・３・４・５に代えて「あ・い・う・え・お」や「Ａ・Ｂ・Ｃ・Ｄ・Ｅ」を表示してもかまわない。
【００１０】  指符号シール▲１▼は、符号表示部▲２▼とテープ部▲３▼とが一体に形成されているが、別体に形成し、符号表示部▲２▼をテープ部▲３▼に貼り付けてもかまわないものである。
【００１１】  指符号シール▲１▼は剥離紙▲５▼から外し、各指に巻き付けて使用する。
【００１２】  指に直接貼り付けて使用するため、テープ部や粘着剤の素材は肌への負担が少ない素材が望ましい。
【００１３】  テープ部▲３▼を指に巻き付けることが出来る長さにすることで、演奏に差し支えないようにリング状に巻き付けることではがれにくくなり、手の大きさや指の太さに関わらず利用することができる。
【００１４】  裏面に粘着剤を設けられたテープ部と表面に指符号表示部。上から順に、符号表示部▲２▼、テープ部▲３▼、粘着剤▲４▼、台紙▲５▼、剥離紙▲６▼が積層されており、使用時は粘着剤から剥離紙▲６▼を剥ぎ取り、符号の若いものから、両手の親指・人差し指・中指・薬指・小指に貼り付ける。
【符号の説明】
【００１５】    ▲１▼    指符号シール
▲２▼    符号表示部
▲３▼    テープ部
▲４▼    粘着剤
▲５▼    台紙
▲６▼    剥離紙
【図１】
0003233498.tif 000003
【図２】
0003233498.tif 000004
【図３】
0003233498.tif 000005
【図４】
0003233498.tif 000006
(57)【要約】      （修正有）【課題】自動車のサンバイザーに、容易にマスクを保持させる、車両用サンバイザーに設置するマスク保持具を提供する。【解決手段】車両用サンバイザークリップ１に、マスクを挿む為の隙間２を成型する事により片手で容易に装着する事ができる。マスクの厚みと本体の弾力で挟み込まれる為、安定的に保持される。【選択図】図１
0003233442.tif 000002
【実用新案登録請求の範囲】
【請求項１】
自動車のサンバイザーに本体を挟み込む事で固定される構造と、マスクを隙間に差し込む事でマスクを固定する構造を有する保持具
【考案の詳細な説明】
【技術分野】
【０００１】
本考案はマスク保持具に関するものである。
【背景技術】
【０００２】
車内でマスクを吊るす方式の収納方法は公知になっており、関連する商品も存在しますが、吊るす方式は運転中の車内では不安定であり揺れて気が散ります。
既に自動車サンバイザーに眼鏡や小物等を取り付けるための保持具が多数考案されておりますが、既に考案されているサンバイザークリップは、マスクを装着する事を想定しておらず、マスクの保持には適しておりません。
【先行技術文献】
【特許文献】
【０００３】
【特許文献１】特開2012-111471
【特許文献２】特開2016-43854
【考案の概要】
【考案が解決しようとする課題】
【０００４】
自動車のサンバイザーに、容易にマスクを保持させる。
【課題を解決するための手段】
【０００５】
車両用サンバイザークリップに、マスクを挿む為の隙間を成型する。
【考案の効果】
【０００６】
片手でも容易に装着する事ができる。マスクの厚みと本体の弾力で挟み込まれる為、安定的に保持される。
【図面の簡単な説明】
【０００７】
【図１】図１は本考案の上面側から見た斜視図である。
【図２】図２は本考案の側面図である。
【図３】図３は本考案をサンバイザーに設置した状態を示す図である。
【図４】図４は本考案にマスクを設置した状態を示す図である。
【考案を実施するための形態】
【０００８】
図３で示す通り、自動車のサンバイザーにサンバイザークリップ（１）で挟み込む事で本体を固定する。
樹脂の弾力と摩擦によりサンバイザー使用時でもずり落ちない。
【実施例１】
【０００９】
図４で示す通り、隙間（２）にマスクを挿み込む。
マスクの厚みと本体の弾力で挟み込まれる為、安定的に保持される。
【符号の説明】
【００１０】
（１）  サンバイザークリップ
（２）  隙間
【図１】
0003233442.tif 000003
【図２】
0003233442.tif 000004
【図３】
0003233442.tif 000005
【図４】
0003233442.tif 000006
(57)【要約】      （修正有）【課題】１台で３台分の凝縮器［熱交換器］の機能を有する、多管式三段凝縮器を提供する。【解決手段】本考案は、上部凝縮器［熱交換器］１、中間部凝縮器［熱交換器］１９、下部凝縮器［熱交換器］２６、の３種類の凝縮器［熱交換器］を一体構造にすることで、被凝縮ガス［炭化水素ガス］を効率よく、凝縮液化ができる。【選択図】図１
0003233432.tif 000002
【実用新案登録請求の範囲】
【請求項１】
高分子系プラスチック類非燃焼加熱油化装置の被凝縮ガス［炭化水素ガス］凝縮器の表面積の変化を確保する為に凝縮器の構造を多管式三段からなる特徴とする高分子系プラスチック類非燃焼加熱油化装置の被凝縮ガス［炭化水素ガス］凝縮器
【考案の詳細な説明】
【技術分野】
【０００１】    高分子系プラスチック類非燃焼加熱油化装置の被凝縮ガス［炭化水素ガス］の冷却凝縮器「熱交換器」に係わるものであり、詳しくは、廃プラスチック類油化に関するものである。
【背景技術】
【０００２】  高分子系プラスチック類非燃焼加熱油化装置の被凝縮ガス［炭化水素ガス］の凝縮器は、系列ごとに付属されていた。
【先行技術文献】
【特許文献】
【０００３】
【特許文献１】実用新案登録第３０９５２９３号
【特許文献２】
【非特許文献】
【０００４】
【非特許文献１】
【非特許文献２】
【考案の概要】
【考案が解決しようとする課題】
【０００５】被凝縮ガス組成成分ごとに凝縮器を数台設置する経済的負担、スペースも必要となる欠点を解決しようとする。
【課題を解決するための手段】
【０００６】本考案は、被凝縮ガス組成成分別の凝縮器を、１台に集約化する。
【考案の効果】
【０００７】上記の様に、本考案は、高分子系プラスチック類非燃焼加熱油化装置において、発生した被凝縮ガス［炭化水素ガス］を１台の凝縮器の構造を３段にすることで、被凝縮ガス［炭化水素ガス］を効率よく、凝縮液化ができる。
【図面の簡単な説明】
【０００８】
【図１】本考案の多管式３段凝縮器正面図
【考案を実施するための形態】
【０００９】本考案の実施の形態について図面［図１］を参照。
【実施例】
【・・・・】
【産業上の利用可能性】
【・・・・】
【符号の説明】
【００１０】▲１▼上部凝縮部
▲２▼上部凝縮部蓋
▲３▼上部凝縮部蓋取付ボルト
▲４▼オフガス取出口
▲５▼上部凝縮部蓋取付ボルト
▲６▼下部仕切板
▲７▼冷却水出入口
▲８▼冷却水出口
▲９▼オフガス取出部フランジ
▲１１▼上部凝縮器下部仕切板
▲１２▼上部凝縮器下部フランジ
▲１４▼上部凝縮器上部仕切板
▲１５▼上部凝縮部多管部
▲１６▼中間部被凝縮ガス流入部
▲１７▼被凝縮ガス［炭化水素ガス］入口
▲１８▼被凝縮ガス［炭化水素ガス］入口フランジ
▲１９▼中間部多管部
▲２０▼凝縮器架台受部
▲２１▼中間部上部仕切板
▲２２▼凝縮器架台足
▲２３▼凝縮器架台補強部
▲２４▼凝縮器架台足底部
▲２５▼中間部下部フランジ
▲２６▼下部凝縮部
▲２７▼凝縮液出口
▲２８▼凝縮液フィルター取出口
▲２９▼凝縮液受底部
▲４３▼フィルター
▲４５▼冷却水出入口
▲４６▼中間部フランジ
▲４９▼凝縮液溜下部
【配列表フリーテキスト】
【図１】
0003233432.tif 000003